(57)【要約】【課題】  本発明は圧着端子に係り、端子盤等への圧着端子の取付け／取り外しの際に、端子盤等からネジを完全に取り外すことなく圧着端子を着脱でき、また、仮止め作業時等に確実にネジからの脱落防止が図れる圧着端子を提供することを目的とする。【解決手段】  請求項１に係る発明は、導電線をカシメ固定する圧着部と、端子盤等の電極接続部にネジ止めされる端子接続部とからなる圧着端子に於て、前記端子接続部の先端に、ネジのネジ部が挿通可能なＵ字状の切欠きを設けて該端子接続部を二股状に形成すると共に、前記端子接続部に、前記ネジのネジ頭の受け部を設けたことを特徴とする。  また、請求項３に係る発明は、前記受け部は、前記端子接続部の両側部に立設された対称な対向壁部で、該対向壁部に、ネジのネジ頭を保持するネジ押さえ部が設けられていることを特徴とする。【選択図】    図１
2010218744.tif 000002
【特許請求の範囲】
【請求項１】
導電線をカシメ固定する圧着部と、端子盤等の電極接続部にネジ止めされる端子接続部とからなる圧着端子に於て、
前記端子接続部の先端に、ネジのネジ部が挿通可能なＵ字状の切欠きを設けて該端子接続部を二股状に形成すると共に、前記端子接続部に、前記ネジのネジ頭の受け部を設けたことを特徴とする圧着端子。
【請求項２】
前記切欠きの開口縁を内方へ傾斜させて、該切欠き内へのネジのガイド部を設けたことを特徴とする請求項１に記載の圧着端子。
【請求項３】
前記受け部は、前記端子接続部の両側部に立設された対称な対向壁部で、該対向壁部に、ネジのネジ頭を保持するネジ押さえ部が設けられていることを特徴とする請求項１または請求項２に記載の圧着端子。
【請求項４】
前記ネジ押さえ部は、外方へ平面視円弧状に突設されていることを特徴とする請求項３に記載の圧着端子。
【請求項５】
前記ネジ押さえ部は、外方へ平面視Ｖ字状に突設されていることを特徴とする請求項３に記載の圧着端子。
【請求項６】
前記対向壁部の先端は、外方へ拡開していることを特徴とする請求項３乃至請求項５のいずれか１項に記載の圧着端子。
【請求項７】
前記切欠きは、前記対向壁部のネジ押さえ部の頂部を結ぶ線と、該切欠きの奥部に当接したネジの中心が一致する長さを以って形成されていることを特徴とする請求項４乃至請求項６のいずれか１項に記載の圧着端子。
【請求項８】
前記対向壁部と端子接続部との角部に、先端から切欠きが設けられていることを特徴とする請求項３乃至請求項７のいずれか１項に記載の圧着端子。
【請求項９】
前記端子接続部は、先端に向かって下方へ緩やかに湾曲していることを特徴とする請求項８に記載の圧着端子。
【発明の詳細な説明】
【技術分野】
【０００１】
本発明は、導電線（リード線）をカシメ固定する圧着部（カシメ部）と、端子盤等の電極接続部にネジ止めされる端子接続部（電極部）とで構成される圧着端子に関する。
【背景技術】
【０００２】
従来、端子盤や各種接続部の電極接続部への配線に圧着端子が使用されており、導電線の先端に圧着接続された圧着端子が、ネジによって端子盤等の電極接続部にネジ止めされている。
【０００３】
前記ネジは、端子盤等の電極接続部に設けられた多数のネジ孔に、夫々、バネ座を介して固定した状態に取り付けられており、例えば圧着端子を用いて導電線を端子盤の電極接続部に接続する際には、端子盤からバネ座とネジを一旦完全に取り外して、圧着端子の端子接続部をネジで端子盤に接続，固定し、また、端子盤から圧着端子を取り外す場合も、同様にバネ座とネジを完全に外していた。
【０００４】
しかし、斯様に圧着端子の取付けや取り外しの際に、端子盤からネジを完全に取り外す作業は非常に手間がかかり、また、外したネジが脱落して紛失したり、装置内に落ちて短絡等の障害の一因となってしまう欠点があった。
【０００５】
そこで、斯かる不具合を解決するため、特許文献１には、図９及び図１０に示すように端子接続部１の先端にネジ３のネジ部５が挿通可能な切欠き７を該端子接続部１の前後方向に設けて、該端子接続部１を二股状に形成すると共に、二股状に形成したその先端に上方向へ突出するストッパ９を設けた圧着端子１１が開示されている。
【０００６】
而して、前記圧着端子１１によれば、圧着端子１１の取付けや取り外しの際に、端子盤や各種接続部の電極接続部１３からネジ３を完全に取り外す必要がなくなり、また、仮止め作業時に導電線１５等の荷重がかかっても、ストッパ９がネジ３のネジ頭１７の側部に係止するため、圧着端子１１がネジ３から脱落することがない。
【先行技術文献】
【特許文献】
【０００７】
【特許文献１】特開平７−３７６３４号公報
【発明の概要】
【発明が解決しようとする課題】
【０００８】
しかし乍ら、前記従来例にあっても、圧着端子１１の取付けや取り外しの際に、必要以上にネジ３を緩めてストッパ９の突出量（高さ）以上のピッチでネジ３を緩めてしまうと、例えば仮止め作業時に圧着端子１１がネジ３から脱落してしまう不具合が指摘されている。
【０００９】
本発明は斯かる実情に鑑み案出されたもので、端子盤等への圧着端子の取付け／取り外しの際に、端子盤等からネジを完全に取り外すことなく圧着端子を着脱でき、また、例えば仮止め作業時に、確実にネジからの脱落防止が図れる圧着端子を提供することを目的とする。
【課題を解決するための手段】
【００１０】
斯かる目的を達成するため、請求項１に係る発明は、導電線をカシメ固定する圧着部と、端子盤等の電極接続部にネジ止めされる端子接続部とからなる圧着端子に於て、
前記端子接続部の先端に、ネジのネジ部が挿通可能なＵ字状の切欠きを設けて該端子接続部を二股状に形成すると共に、前記端子接続部に、前記ネジのネジ頭の受け部を設けたことを特徴とする。
【００１１】
また、請求項２に係る発明は、請求項１に記載の圧着端子に於て、前記切欠きの開口縁を内方へ傾斜させて、該切欠き内へのネジのガイド部を設けたことを特徴とし、請求項３に係る発明は、請求項１または請求項２に記載の圧着端子に於て、前記受け部は、前記端子接続部の両側部に立設された対称な対向壁部で、該対向壁部に、ネジのネジ頭を保持するネジ押さえ部が設けられていることを特徴とする。
【００１２】
そして、請求項４に係る発明は、請求項３に記載の圧着端子に於て、前記ネジ押さえ部は、外方へ平面視円弧状に突設されていることを特徴とし、請求項５に係る発明は、請求項３に記載の圧着端子に於て、前記ネジ押さえ部は、外方へ平面視Ｖ字状に突設されていることを特徴とする。
【００１３】
更に、請求項６に係る発明は、請求項３乃至請求項５のいずれか１項に記載の圧着端子に於て、前記対向壁部の先端は、外方へ拡開していることを特徴とし、請求項７に係る発明は、請求項４乃至請求項６のいずれか１項に記載の圧着端子に於て、前記切欠きは、前記対向壁部のネジ押さえ部の頂部を結ぶ線と、該切欠きの奥部に当接したネジの中心が一致する長さを以って形成されていることを特徴とする。
【００１４】
そして、請求項８に係る発明は、請求項３乃至請求項７のいずれか１項に記載の圧着端子に於て、前記対向壁部と端子接続部との角部に、先端から切欠きが設けられていることを特徴とし、請求項９に係る発明は、請求項８に記載の圧着端子に於て、前記端子接続部は、先端に向かって下方へ緩やかに湾曲していることを特徴とする。
【発明の効果】
【００１５】
各請求項に係る発明によれば、端子盤等の電極接続部への取付け／取り外しの際にネジを完全に取り外す必要がないため、従来に比し作業効率が向上すると共に、外したネジが脱落して紛失したり、装置内に落ちて短絡等の障害が発生する虞がなくなる。
【００１６】
また、圧着端子の取付け／取り外しの際に必要以上にネジを緩めてしまっても、ネジ頭の受け部が常にネジ頭を保持するため、圧着端子がネジから脱落することがなく、取付け／取り外しの作業時間を大幅に短縮することができる。
【００１７】
そして、請求項２及び請求項６に係る発明によれば、ネジへの圧着端子の挿入がスムーズに行え、請求項３及び請求項４に係る発明によれば、対向壁部のネジ押さえ部が常にネジ頭を左右から押さえ付けて保持するため、仮止め作業時等に圧着端子がネジから脱落することがなく、特に請求項４に係る発明は、ネジ押さえ部を平面視円弧状に形成しているため、平面視円形状のネジ頭を左右から確実に押さえ付けて保持することが可能である。
【００１８】
一方、請求項５に係る発明によれば、ネジ押さえ部を平面視Ｖ字状に形成しているため、平面視六角形状のネジ頭を左右から確実に押さえ付けて保持することが可能となる。
【００１９】
また、請求項７に係る発明によれば、切欠きの奥部にネジ部が当接するまで圧着端子を圧入させれば、左右のネジ押さえ部がネジのネジ頭を確実に押さえ付けて保持するため、ネジ頭とネジ押さえ部との位置決めが不要となって更に作業性に優れた利点を有する。
【００２０】
そして、請求項８に係る発明の如く対向壁部と端子接続部との角部に切欠きを設けることで、対向壁部が弾性力を有することとなるため、ネジへの圧着端子の挿入がし易く、また、対向壁部のネジ押さえ部によってネジ頭を左右から弾性的に確実に押さえ付けて保持することが可能である。
【００２１】
更に、請求項９に係る発明によれば、圧着端子のネジ止めによって生ずる端子接続部のバネ性を利用することで従来のバネ座が不要となるため、部品点数の削減を図ることが可能になると共に、予めネジを電極接続部に取り付けておく際にバネ座が不要となるため、バネ座の脱落等によって生ずる障害を防止することができる利点を有する。
【図面の簡単な説明】
【００２２】
【図１】請求項１乃至請求項４及び請求項６乃至請求項９の一実施形態に係る圧着端子の平面図である。
【図２】圧着端子の背面図である。
【図３】圧着端子の側面図である。
【図４】圧着端子の取付方法を示す説明図である。
【図５】圧着端子の取付方法を示す説明図である。
【図６】圧着端子の取付方法を示す説明図である。
【図７】圧着端子の取付方法を示す説明図である。
【図８】圧着端子の取付方法を示す説明図である。
【図９】従来の圧着端子の側面図である。
【図１０】従来の圧着端子の平面図である。
【発明を実施するための形態】
【００２３】
以下、本発明の実施形態を図面に基づいて詳細に説明する。
【００２４】
図１乃至図８は請求項１乃至請求項４及び請求項６乃至請求項９に係る圧着端子の一実施形態を示し、図中、２１は導電線（図示せず）をカシメ固定する圧着部（カシメ部）、２３は端子盤等の電極接続部２５にネジ２７でネジ止めされる端子接続部（電極部）で、従来と同様、導電線の先端の金属線を前記圧着部２１へ挿入した後、該圧着部２１をカシメることで導電線が圧着端子２９に接続されるようになっている。
【００２５】
そして、図１に示すように端子接続部２３には、図６及び図７の如くネジ２７のネジ部３１が挿通可能な平面視Ｕ字状の切欠き３３がその先端から後方へと設けられて、端子接続部２３が左右対称な二股状に形成されており、切欠き３３の左右の開口縁は内方へ傾斜して、切欠き３３内へのネジ２７（ネジ部３１）のガイド部３５が設けられている。
【００２６】
また、図１乃至図３に示すように端子接続部２３の両側部に左右対称な対向壁部（受け部）３７，３９が立設されており、両対向壁部３７，３９の中央よりもやや先端側に、ネジ２７の平面視円形状のネジ頭４１と同一のアール（Ｒ）からなる平面視円弧状のネジ押さえ部４３，４５が外方へ突設されている。また、対向壁部３７，３９は、ネジ２７のネジ部３１の寸法よりも高く形成されている。
【００２７】
そして、図７に示すように前記切欠き３３は、ネジ押さえ部４３，４５の頂部を結ぶ線Ｌと、該切欠き３３の奥部に当接したネジ２７の中心が一致する長さを以って形成され、また、対向壁部３７，３９間の幅寸法はネジ頭４１の径よりも幅狭で、前記ネジ押さえ部４３，４５間はネジ頭４１の径と同一寸法とされている。
【００２８】
更に、前記対向壁部３７，３９と端子接続部２３の左右の角部に沿って先端側から切欠き４７が設けられており、斯様に左右の角部に切欠き４７を設けることで、図１に示すように対向壁部３７，３９が、夫々、矢印方向へ弾性変形可能となっている。そして、対向壁部３７，３９の先端は、夫々、外方へ湾曲して拡開した形状となっている。
【００２９】
また、図３に示すように端子接続部２３は先端に向かって下方へ緩やかに湾曲しており、斯様に湾曲することで、電極接続部２５への圧着端子２９のネジ止めの際に、その変形によって生ずるバネ性を利用することで、従来のバネ座を不要としている。
【００３０】
本実施形態に係る圧着端子２９はこのように構成されているから、該圧着端子２９を端子盤等の電極接続部２５に接続するには、ネジ２７を電極接続部２５から完全に取り外す必要はなく、図５の如く端子接続部２３の板厚分だけネジ２７を緩めればよい。そして、図４及び図６に示すように、外方へ湾曲して拡開する対向壁部３７，３９の先端側をネジ頭４１で外方へ押し広げ乍ら、前記ガイド部３５を利用してネジ部３１を切欠き３３内に挿入させて対向壁部３７，３９内にネジ２７（ネジ頭４１）を圧入させればよく、斯様に対向壁部３７，３９を外方へ押し広げ乍ら切欠き３３の奥部にネジ部３１が当接するまで圧着端子２９をネジ２７に挿入させると、前記ネジ押さえ部４３，４５間にネジ２７が配置されて、外方へ押し広げられていた対向壁部３７，３９の復元力でネジ頭４１が左右から押さえ付けられて保持されることとなる。
【００３１】
従って、このネジ２７を緩めた状態で導電線の荷重がかかっても、弾性を有する対向壁部３７，３９のネジ押さえ部４３，４５がネジ頭４１を左右から押さえ付けて保持するため、圧着端子２９がネジ２７から脱落することがないし、また、対向壁部３７，３９は、ネジ２７のネジ部３１の寸法よりも高く形成されているため、ネジ２７を必要以上に緩めてしまっても、弾性を有する前記ネジ押さえ部４３，４５が常にネジ頭４１を左右から押さえ付けて保持するため、圧着端子２９がネジ２７から脱落することがない。
【００３２】
而も、切欠き３３は、ネジ押さえ部４３，４５の頂部を結ぶ線Ｌと、該切欠き３３の奥部に当接したネジ２７の中心が一致する長さを以って形成されているため、ネジ２７への圧着端子２９の挿入の際に、切欠き３３の奥部にネジ部３１が当接するまで圧着端子２９を圧入させれば、ネジ頭３１を左右のネジ押さえ部４３，４５で確実に押さえ付けて保持することができ、ネジ頭３１とこれらのネジ押さえ部４３，４５との煩わしい位置決めが不要である。
【００３３】
そして、この後、図８の如くネジ２７を締め込んでいくことで圧着端子２９が電極接続部２５に完全にネジ止めされるが、このとき、先端に向かって下方へ緩やかに湾曲していた端子接続部２３が、電極接続部２５とネジ頭４１とで押圧されて該電極接続部２５に沿ってフラットな形状に変形するため、この変形で発生するバネ性を利用することで従来のバネ座が不要となる。
【００３４】
一方、電極接続部２５から圧着端子２９を取り外す場合も、同様にネジ２７を完全に外す必要はなく、端子接続部２３の板厚分だけネジ２７を緩めればよい。
【００３５】
このように本実施形態に係る圧着端子２９によれば、電極接続部２５への取付け／取り外しの際にネジ２７を完全に取り外す必要がないため、従来に比し作業効率が向上すると共に、外したネジ２７が脱落して紛失したり、装置内に落ちて短絡等の障害が発生する虞がなくなる。
【００３６】
また、特許文献１の圧着端子１１と異なり、圧着端子２９の取付け／取り外しの際に必要以上にネジ２７を緩めてしまっても、弾性力を有する対向壁部３７，３９のネジ押さえ部４３，４５が常にネジ頭４１を左右から弾性的に押さえ付けて保持するため、仮止め作業時等に圧着端子２９がネジ２７から脱落することがなく、取付け／取り外しの作業時間を大幅に短縮することができる。
【００３７】
而も、ネジ押さえ部４３，４５はネジ頭４１と同一のアール（Ｒ）で形成されているため、ネジ頭４１を左右から確実に押さえ付けて保持することが可能である。
【００３８】
そして、弾性力を有する対向壁部３７，３９の先端は外方へ湾曲して拡開し、また、切欠き３３の左右の開口縁は内方へ傾斜してネジ２７のガイド部３５が設けられているため、ネジ２７への圧着端子２９の挿入がスムーズに行え、更に切欠き３３の奥部にネジ部３１が当接するまで圧着端子２９を圧入させれば、左右のネジ押さえ部４３，４５がネジ２７のネジ頭３１を確実に押さえ付けて保持するため、ネジ頭３１とネジ押さえ部４３，４５との位置決めが不要となって更に作業性に優れた利点を有する。
【００３９】
また、本実施形態によれば、圧着端子２９（端子接続部２３）のネジ止めによって生ずる端子接続部２３のバネ性を利用することで従来のバネ座が不要となるため、部品点数の削減を図ることが可能となり、更にまた、予めネジ２７を電極接続部２５に取り付けておく際にバネ座が不要となるため、バネ座の脱落等によって生ずる障害を防止することができる利点を有する。
【００４０】
尚、前記実施形態は、円形状のネジ頭４１を有するネジ２７を用いたが、図１０の如き平面視六角形状のネジ頭１７を前記ネジ押さえ部４３，４５で左右から弾性的に押さえ付けて保持することも可能である。
【００４１】
また、図１０の如きネジ１１に対応して、前記ネジ押さえ部４３，４５に代え、請求項５の一実施形態の如く、対向壁部３７，３９に外方へ平面視Ｖ字状に突設するネジ押さえ部を設けて、該ネジ押さえ部によって、平面視六角形状のネジ頭を有するネジや平面視円形状のネジ頭を有するネジを、左右から弾性的に押さえ付けて保持してもよく、斯かる圧着端子によっても、前記圧着端子２９と同様、所期の目的を達成することが可能である。
【符号の説明】
【００４２】
２１  圧着部
２３  端子接続部
２５  電極接続部
２７  ネジ
２９  圧着端子
３１  ネジ部
３３，４７  切欠き
３５  ガイド部
３７，３９  対向壁部
４１  ネジ頭
４３，４５  ネジ押さえ部
【図１】
2010218744.tif 000003
【図２】
2010218744.tif 000004
【図３】
2010218744.tif 000005
【図４】
2010218744.tif 000006
【図５】
2010218744.tif 000007
【図６】
2010218744.tif 000008
【図７】
2010218744.tif 000009
【図８】
2010218744.tif 000010
【図９】
2010218744.tif 000011
【図１０】
2010218744.tif 000012